(57)【要約】【課題】カフ圧のような圧力の変動する環境下においても、感度よく小さな音（例えばコロトコフ音）を弁別して検出することのできるコンデンサマイクロホンを提供する。【解決手段】ハウジング１１の内部にダイヤフラム１３とバックプレート１４を配置し、ハウジングの後面を塞ぐ壁部１１Ｂに通気孔３０を形成し、ハウジング１１の前面に検出対象の周波数帯域（コロトコフ音）に対しての吸音特性を持つ吸音材２０を配置したコンデンサマイクロホン１０を、コロトコフ音を検出する音響センサとして、血圧計のカフの内圧の及ぶ連通空間内に配置した。【選択図】図１
2008093360.tif 000002
【特許請求の範囲】
【請求項１】
前面に音波入射用の開口を有するハウジングの内部に、ダイヤフラムとバックプレートを２枚の対向電極として配置したコンデンサマイクロホンにおいて、
前記ハウジングの後面を塞ぐ壁部に通気孔を形成すると共に、
前記ハウジングの前面または後面のいずれか一方に、前記開口または通気孔を覆うように、検出対象の周波数帯域に対しての吸音特性を持つ吸音フィルタ手段を配置したことを特徴とするコンデンサマイクロホン。
【請求項２】
請求項１に記載のコンデンサマイクロホンであって、
前記ハウジングの前面に、該ハウジングの前面の開口の周囲に接着剤を配した状態で、前記吸音フィルタ手段としての吸音材が貼り付けられていることを特徴とするコンデンサマイクロホン。
【請求項３】
請求項１に記載のコンデンサマイクロホンであって、
前記ハウジングの前面に、該ハウジングの前面の開口の周囲に接着剤を配した状態で、通気性を有する布材が貼り付けられており、更に、その上面に接着剤を介して、前記吸音フィルタ手段としての吸音材が貼り付けられていることを特徴とするコンデンサマイクロホン。
【請求項４】
請求項１〜３のいずれか１項に記載のコンデンサマイクロホンを主要部品として含むマイクロホンユニットであって、
前端に接続口を有し後面に組立用開口を有したユニットケースの内部に、前面を前記接続口に向け且つ前記ハウジングの周囲に隙間を保った状態で前記コンデンサマイクロホンを収容し、前記ユニットケースの後面の開口を、前記コンデンサマイクロホンとの間に隙間を保った状態で蓋板で塞ぐと共に、前記コンデンサマイクロホンの２本の端子を、前記蓋板に形成した貫通孔からそれぞれ外部に突出させ、その上で、蓋板の外面にシール材を充填して、蓋板とユニットケースの隙間及び蓋板と端子の隙間をシールしたことを特徴とするマイクロホンユニット。
【請求項５】
請求項４に記載のマイクロホンユニットであって、
前記ユニットケースの後面の開口の周縁に１つの切欠を設けると共に、前記蓋板の周縁に１つの突起を設け、前記切欠と突起を位置合わせして蓋板をユニットケースの後面の開口に嵌めることで、前記コンデンサマイクロホンの２本の端子とユニットケースとの位置関係を定め、更に、前記ユニットケースの外面に、前記２本の端子の区別を行うための形状的な目印を設けたことを特徴とするマイクロホンユニット。
【請求項６】
請求項４または５に記載のマイクロホンユニットであって、
前記シール材として、前記ユニットケース及び蓋板とは異なる色を有した不透明なシール材を使用したことを特徴とするマイクロホンユニット。
【請求項７】
血圧測定部位に巻き付けるカフと、前記カフを加圧する加圧手段と、前記カフを減圧する減圧手段と、前記カフ内部の空気を介して伝わるコロトコフ音を検出する音響センサと、を備えた血圧計であって、
前記音響センサとして、請求項１〜３のいずれか１項に記載のコンデンサマイクロホンを使用し、
当該コンデンサマイクロホンを、前記カフの内圧の及ぶ連通空間内に配置したことを特徴とする血圧計。
【請求項８】
血圧測定部位に巻き付けるカフと、前記カフを加圧する加圧手段と、前記カフを減圧す
る減圧手段と、前記カフに連通する管路と、該管路内の空気を介して伝わるコロトコフ音を検出する音響センサと、を備えた血圧計であって、
前記音響センサとして、請求項４〜６のいずれか１項に記載のマイクロホンユニットを使用し、
当該マイクロホンユニットの接続口を、前記管路の端部に接続したことを特徴とする血圧計。
【発明の詳細な説明】
【技術分野】
【０００１】
本発明は、圧力の変動する状況下においても、感度よく音響信号を検出することのできるコンデンサマイクロホン、そのコンデンサマイクロホンを主体にして構成したマイクロホンユニット、及び、同マイクロホンによりコロトコフ音を検出して血圧測定を行う血圧計に関するものである。
【背景技術】
【０００２】
従来、コロトコフ音をマイクロホンで検出し、それに基づいて血圧値を割り出す血圧計が知られている。その中で、カフに連通する導管の端部にマイクロホンを配置し、導管の内部を空気伝播してくるコロトコフ音を、そのマイクロホンで検出するようにしたものが知られている（例えば、特許文献１参照）。
【０００３】
【特許文献１】特開平６−１４８８８号公報
【発明の開示】
【発明が解決しようとする課題】
【０００４】
上記のように、カフに連通する導管の端部にマイクロホンを配置する場合、一般的には、導管の端壁に接するようにマイクロホンを配置することが考えられるが、管壁を介してノイズを拾いやすくなるので、実際に小さなコロトコフ音を弁別することは困難である。
【０００５】
また、導管の端部開口に直接マイクロホンを配置することも考えられるが、カフに連通する導管は、血圧測定のために気密に保持されていなくてはならず、マイクロホンにもカフ内と同等の圧力変動が加わることになる。従って、ダイヤフラムの振動によってコロトコフ音を検出するコンデンサマイクロホンを使用することは難しいと思われていた。
【０００６】
本発明は、上記事情を考慮し、カフ圧のような圧力の変動する環境下においても、感度よく小さな音（例えばコロトコフ音）を弁別して検出することのできるコンデンサマイクロホン、それを主要部品とするマイクロホンユニット、それらのマイクロホンを用いた血圧計を提供することを目的とする。
【課題を解決するための手段】
【０００７】
請求項１の発明のコンデンサマイクロホンは、前面に音波入射用の開口を有するハウジングの内部に、ダイヤフラムとバックプレートを２枚の対向電極として配置したコンデンサマイクロホンにおいて、前記ハウジングの後面を塞ぐ壁部に通気孔を形成すると共に、前記ハウジングの前面または後面のいずれか一方に、前記開口または通気孔を覆うように、検出対象の周波数帯域に対しての吸音特性を持つ吸音フィルタ手段を配置したことを特徴としている。
【０００８】
請求項２の発明は、請求項１に記載のコンデンサマイクロホンであって、前記ハウジングの前面に、該ハウジングの前面の開口の周囲に接着剤を配した状態で、前記吸音フィルタ手段としての吸音材が貼り付けられていることを特徴としている。
【０００９】
請求項３の発明は、請求項１に記載のコンデンサマイクロホンであって、前記ハウジングの前面に、該ハウジングの前面の開口の周囲に接着剤を配した状態で、通気性を有する布材が貼り付けられており、更に、その上面に接着剤を介して、前記吸音フィルタ手段としての吸音材が貼り付けられていることを特徴としている。
【００１０】
請求項４の発明のマイクロホンユニットは、請求項１〜３のいずれか１項に記載のコンデンサマイクロホンを主要部品として含むマイクロホンユニットであって、前端に接続口を有し後面に組立用開口を有したユニットケースの内部に、前面を前記接続口に向け且つ前記ハウジングの周囲に隙間を保った状態で前記コンデンサマイクロホンを収容し、前記ユニットケースの後面の開口を、前記コンデンサマイクロホンとの間に隙間を保った状態で蓋板で塞ぐと共に、前記コンデンサマイクロホンの２本の端子を、前記蓋板に形成した貫通孔からそれぞれ外部に突出させ、その上で、蓋板の外面にシール材を充填して、蓋板とユニットケースの隙間及び蓋板と端子の隙間をシールしたことを特徴としている。
【００１１】
請求項５の発明は、請求項４に記載のマイクロホンユニットであって、前記ユニットケースの後面の開口の周縁に１つの切欠を設けると共に、前記蓋板の周縁に１つの突起を設け、前記切欠と突起を位置合わせして蓋板をユニットケースの後面の開口に嵌めることで、前記コンデンサマイクロホンの２本の端子とユニットケースとの位置関係を定め、更に、前記ユニットケースの外面に、前記２本の端子の区別を行うための形状的な目印を設けたことを特徴としている。
【００１２】
請求項６の発明は、請求項４または５に記載のマイクロホンユニットであって、前記シール材として、前記ユニットケース及び蓋板とは異なる色を有した不透明なシール材を使用したことを特徴としている。
【００１３】
請求項７の発明の血圧計は、血圧測定部位に巻き付けるカフと、前記カフを加圧する加圧手段と、前記カフを減圧する減圧手段と、前記カフ内部の空気を介して伝わるコロトコフ音を検出する音響センサと、を備えた血圧計であって、前記音響センサとして、請求項１〜３のいずれか１項に記載のコンデンサマイクロホンを使用し、当該コンデンサマイクロホンを、前記カフの内圧の及ぶ連通空間内に配置したことを特徴としている。
【００１４】
請求項８の発明の血圧計は、血圧測定部位に巻き付けるカフと、前記カフを加圧する加圧手段と、前記カフを減圧する減圧手段と、前記カフに連通する管路と、該管路内の空気を介して伝わるコロトコフ音を検出する音響センサと、を備えた血圧計であって、前記音響センサとして、請求項４〜６のいずれか１項に記載のマイクロホンユニットを使用し、当該マイクロホンユニットの接続口を、前記管路の端部に接続したことを特徴としている。
【発明の効果】
【００１５】
請求項１の発明によれば、ハウジングの後面を塞ぐ壁部に通気孔を設けたので、ダイヤフラムの後面側にも、前面側とほぼ等しい圧力を導入することができる。従って、ダイヤフラムに圧力の変動による無用な負担をかけずに、圧力環境下でも音響センサとして問題なく使用することができる。また、ダイヤフラムの両面に入力する空気振動のうち、どちらか一方の面に入力する空気振動から、検出対象の周波数帯域の音を吸音フィルタ手段によって除くようにしているため、他方の面にのみ検出対象の周波数帯域の音波が入射され、他の周波数帯域の振動は両面で相殺されることになる。従って、ダイヤフラムとバックプレートから、検出対象の周波数帯域の音響に対応した電気信号のみが出力されることになり、音響センサとして使う場合に高い検出感度を発揮できるようになる。
【００１６】
請求項２の発明によれば、ハウジングの前面の開口を接着剤で塞ぐことがないので、検出対象の周波数帯域の音波を吸音材で吸収しながら、吸音材を通して、空気の圧力をダイヤフラムの前面に入力することができる。
【００１７】
請求項３の発明によれば、風切音防止用の布材が前面に貼り付けられている市販品のコンデンサマイクロホンの場合でも、そのまま布材の上に吸音材を貼り付けるだけで、感度
の良いコンデンサマイクロホンを構成することができ、敢えて布材を剥がす手間が省ける。
【００１８】
請求項４の発明によれば、ユニットケースの接続口を例えば検出対象の圧力管路に気密に連通させるだけで、気密状態を保ちながら、圧力管路内の空気を介して伝播してくる音響を、感度よく検出することができる。
【００１９】
請求項５の発明によれば、次の効果を奏する。即ち、請求項４の発明のように、小さなコンデンサマイクロホンをケースに収容して蓋をした場合、２本ある端子のうち、どちらが＋側または−側の端子であるかを判別しにくくなるが、請求項４の発明では、ユニットケースの外面に形状的な目印を付けているので、ユニットケースの外から２本の端子を区別することが容易にできることになる。また、蓋板の貫通孔に端子を通す時点で、区別を付けながら端子を通しておけば、蓋板をユニットケースに嵌める段階では、突起と切欠により自動的に位置決めがなされるので、端子の位置を間違うことがなく、組立が容易にできる。
【００２０】
請求項６の発明によれば、蓋板の外面に充填するシール材の色を、ユニットケース及び蓋板とは異なる不透明色にしたので、シール材を付け忘れているかどうかを簡単に目で見てチェックすることができる。
【００２１】
請求項７の発明によれば、請求項１〜３のいずれか１項に記載のコンデンサマイクロホンを、カフの内圧の及ぶ連通空間内に配置したので、カフの内圧の変化に左右されずに、感度よくコロトコフ音を検出することができる。即ち、カフ内の圧力変動（脈圧も含む）のような低周波成分については、ダイヤフラムの両面に作用させることで相殺し、コロトコフ音のような高周波成分についてだけ、ダイヤフラムの片面に作用させることで、感度よく検出することができる。
【００２２】
請求項８の発明によれば、請求項４〜６のいずれか１項に記載のマイクロホンユニットの接続口を、カフと連通する管路の端部に接続したので、例えば、カフと加圧手段及び減圧手段とを接続する管路（チューブ）を介して伝わるコロトコフ音を、カフの内圧の変化に左右されずに感度よく検出することができる。即ち、カフ内の圧力変動（脈圧も含む）のような低周波成分については、ダイヤフラムの両面に作用させることで相殺し、コロトコフ音のような高周波成分についてだけ、ダイヤフラムの片面に作用させることで、感度よく検出することができる。また、この場合、前記管路をカフ圧の導入・排出用とコロトコフ音検出用とで共有することができるので、余計な管路や配線などを設けないで済む。
【発明を実施するための最良の形態】
【００２３】
以下、本発明の実施形態を図面を参照して説明する。
図１は実施形態のコンデンサマイクロホンの原理構成を示す図、図２はその具体的な構成を示す断面図、図３はそのコンデンサマイクロホンを主要部品とするマイクロホンユニットをコロトコフ音を検出するための音響センサとして使用した血圧計の概略構成図、図４はマイクロホンユニットの構成図で、（ａ）は側断面図、（ｂ）は（ａ）のＩＶｂ−ＩＶｂ断面図、図５は同マイクロホンユニットの分解図で、（ａ）は全体構成を示す分解斜視図、（ｂ）は（ａ）のＶｂ−Ｖｂ矢視図、（ｃ）は（ａ）のＶｃ−Ｖｃ矢視図である。
【００２４】
図１に原理構成を示すように、実施形態のコンデンサマイクロホン１０は、前面に音波入射用の開口１１ａを有するハウジング１１の内部に、ダイヤフラム１３とバックプレート１４を２枚の対向電極として配置したコンデンサマイクロホンにおいて、ハウジング１１の後面を塞ぐ壁部１１Ｂ（基板）に通気孔３０を形成すると共に、ハウジング１１の前面に、前記開口１１ａを覆うように、検出対象の周波数帯域に対しての吸音特性を持つ吸
音フィルタ手段としての吸音材２０を配置したものである。
【００２５】
このようにハウジング１１の後面を塞ぐ壁部１１Ｂに通気孔３０を設けた場合、ダイヤフラム１３の後面側にも、前面側とほぼ等しい圧力を導入することができる。従って、ダイヤフラム１３に圧力の変動による無用な負担をかけずに、圧力環境下でも、音響センサとして問題なく使用することができる。また、ダイヤフラム１３の両面に入力する空気振動のうち、前面に入力する空気振動から、検出対象の周波数帯域の音を吸音材２０によって除くようにしているので、後面にのみ検出対象の周波数帯域の音波が入射され、他の周波数帯域の振動は両面で相殺されることになり、結果的に、ダイヤフラム１３とバックプレート１４から、検出対象の周波数帯域の音響に対応した電気信号のみが出力されることになり、音響センサとして使う場合に高い検出感度を発揮できるようになる。
【００２６】
例えば、後述するように、血圧計のカフの内圧の及ぶ環境下に、このコンデンサマイクロホン１０を配置した場合、ダイヤフラム１３の前面と後面にカフ内圧が作用するが、前面には、コロトコフ音の周波数帯域（３０Ｈｚ〜１５０Ｈｚ）の音波を吸収する特性の吸音材２０を配置してあるので、コロトコフ音を含む空気振動は、ダイヤフラム１３の後面にのみ作用する。つまり、吸音材２０がローパスフィルタの役割を果たすことで、低周波の空気振動（脈波レベルまでの振動）はダイヤフラム１３まで届くが、高周波の振動（コロトコフ音）は、前面については吸音材２０でカットされる。従って、コンデンサマイクロホン１０からは、低周波が相殺された後に残る高周波信号（コロトコフ音＝Ｋ音信号）のみが検出されることになる。
【００２７】
図２を用いて具体的な構成を説明すると、ハウジング１１は、前面と後面に円形の開口１１ａ、１１ｂを有する金属製で円筒状のケーシング１１Ａと、このケーシング１１Ａの後面の開口１１ｂを塞ぐように配されたプリント基板（壁部）１１Ｂとからなる。ハウジング１１の内部には、前面側からダイヤフラム（振動膜）１３と孔１４ａ付きのバックプレート（固定電極）１４とが配置され、これらを支持するために、各種のリング１６、１７、１８やクッションプレート１５が配置されている。また、プリント基板１１Ｂの外面側には、ダイヤフラム１３とバックプレート１４につながる「＋」と「−」の２本の端子２６が突出している。
【００２８】
また、ケーシング１１Ａの前面には、開口１１ａの周囲に接着剤２１を配した状態で、発泡ウレタン等よりなる吸音材２０が貼り付けられている。従って、カフ内の圧力（空気振動）Ｐは、吸音材２０を通し、接着剤２１の円形孔２１ａ及びケーシング１１Ａの開口１１ａを通して、ダイヤフラム１３の前面に入射する。また、ダイヤフラム１３の後面に対しては、基板１１Ｂに設けた通気孔３０及びバックプレート１４の孔１４ａを通して、カフ内の圧力（空気振動）Ｐが直接作用する。
【００２９】
次に、このコンデンサマイクロホンを内蔵したマイクロホンユニットと、それを適用した血圧計について説明する。
図３に示すように、この血圧計は、血圧測定部位に巻き付けるカフ（空気袋付きの血管圧迫帯）１５０と、カフ１５０を加圧する加圧手段（ポンプ）１０１と、カフ１５０を減圧する減圧手段（排気弁）１０２と、カフ１５０の圧力を検出する圧力センサ１０３と、カフ１５０に連通する管路１１０、１１２と、管路１１０、１１２内の空気を介して伝わるコロトコフ音を検出する音響センサとしてのマイクロホンユニット５０と、血圧測定のための全般の制御を行う制御部１０４と、測定結果等を表示する表示部１０５と、を備えている。
【００３０】
カフ１５０以外の要素は血圧計本体１００に含まれており、カフ１５０と血圧計本体１００は管路１１０であるチューブ（導管）により接続されている。そして、血圧計本体１
００内部の管路１１２の１つの端部にマイクロホンユニット５０が接続されている。
【００３１】
このマイクロホンユニット５０は、図４に示すように、前端に接続口５３を有し角柱状本体部５２の後面に組立用開口５５を有したユニットケース５１の円形収容室５２ａの内部に、前面を接続口５３に向け且つハウジング１１の周囲に隙間を保った状態で前述のコンデンサマイクロホン１０を収容し、ユニットケース５１の後面の開口５５を、コンデンサマイクロホン１０との間に隙間を保った状態で蓋板６０で塞ぐと共に、コンデンサマイクロホン１０の２本の端子２６を、蓋板６０に形成した貫通孔６２からそれぞれ外部に突出させ、その上で、蓋板６０の外面にシール材（接着剤など）７０を充填して、蓋板６０とユニットケース５１の隙間及び蓋板６０と端子２６の隙間をシールした構造のものである。
【００３２】
前記の隙間を確保するために、円形収容室５２ａの内周壁には、周方向に間隔をあけて３箇所に段部５４ａ付きの支持突起５４が設けられ、蓋板６０の内面には、押さえ突起６１が設けられている。また、組立用開口５５の周縁には、円形の蓋板６０が嵌まる周溝５５ａが形成され、その周溝５５ａの１箇所に切欠５５ｂが設けられている。コンデンサマイクロホン１０は、支持突起５４の段部５４ａにハウジング１１の前端を突き当て、ハウジング１１の後端面を、蓋板６０の押さえ突起６１で押圧することにより、前記隙間を保った状態で、ユニットケーシング５２の内部にガタつかないように保持されている。
【００３３】
また、蓋板６０の周縁部には、前記切欠５５ｂに嵌まる位置決め用の突起６３が設けられている。図５（ｂ）及び（ｃ）に示すように、切欠５５ｂと突起６３は、端子２６を通す２つの貫通孔６２の区別が付くような位置に設けられている。例えば、突起６３はマイナス（−）側の端子用の貫通孔６３に近い位置に設けられており、切欠５５ｂは、ユニットケース５１の角柱状本体部５２の１つの角部に近い位置に設けられている。そして、反対側の角部には、形状的な目印として面取部５２ｃが設けられている。そして、切欠５５ｂと突起６３を位置合わせすることで、蓋板６０が、ユニットケース５１の後面開口５５の周溝５５ａに嵌められている。
【００３４】
また、蓋板６０の上から充填されるシール材７０としては、ユニットケース５１及び蓋板６０とは異なる色を有した不透明なシール材を使用している。例えば、ユニットケース５１及び蓋板６０を透明樹脂で構成した場合には、白、黒、あるいは、緑や赤等の有色の不透明なシール材７０を使用している。
【００３５】
このように構成したマイクロホンユニット５０を使用する場合、図３に示すように、ユニットケース５１の接続口５３を、検出対象の管路１１２の端部開口に気密に接続するだけで、気密状態を保ちながら、カフ１５０内の空気を介して伝播してくるコロトコフ音を感度よく検出することができる。
【００３６】
また、図４に示すように、小さなコンデンサマイクロホン１０をユニットケース５１に収容して蓋板６０で閉じた場合、２本ある端子２６のうち、どちらが＋側または−側の端子であるかを判別しにくくなるが、ユニットケース５１の外面に形状的な目印（面取部５２ｃ）を設けているので、ユニットケース５１の外から２本の端子２６を区別することが容易にできることになる。また、蓋板６０の貫通孔６２に端子２６を通す時点で、区別を付けながら端子２６を通しておけば、蓋板６０をユニットケース５１に嵌める段階では、突起６３と切欠５５ｂにより自動的に位置決めがなされるので、端子２６の位置を間違うことがなく、組立が容易にできる。
【００３７】
また、蓋板６０の外面に充填するシール材７０の色を、ユニットケース５１及び蓋板６０とは異なる不透明色にしたので、シール材７０を付け忘れているかどうかを簡単に目で
見てチェックすることができる。
【００３８】
また、上記のマイクロホンユニット１０の接続口５３を、カフ１５０と連通する管路１１２の端部に接続して血圧計を構成したので、管路１１０、１１２を介して伝わるコロトコフ音を、カフ１５０の内圧の変化に左右されずに感度よく検出することができる。即ち、カフ１５０内の圧力変動（脈圧も含む）のような低周波成分については、ダイヤフラム１３の両面に作用させることで相殺し、コロトコフ音のような高周波成分についてだけ、ダイヤフラム１３の片面に作用させることで、感度よく検出することができる。また、この場合、管路１１０をカフ圧の導入・排出用とコロトコフ音検出用とで共有することができるので、余計な管路や配線などを設けないで済み、取り扱いの面及びコスト面での合理化が図れる。
【００３９】
なお、図６、図７に示すように、ハウジング１１の前面に、前面開口１１ａの周囲に接着剤２１を配した状態で、通気性を有する布材２３が貼り付けられている場合は、その上面に接着剤２４を介して、前記吸音フィルタ手段としての吸音材２０を貼り付けてよい。
【００４０】
図６の例は、接着剤２４を中心円孔２４ａを残して配置した場合、図７の例は、吸音材２０の裏面全面に接着剤２４を配置した場合を示している。図６の場合は、接着剤２４に中心円孔２４ａがあいているので、吸音材２０を通してカフ内の圧力Ｐを内部に作用させることができるが、図７の場合は、布材２３の厚み方向の内部間隙を通して、カフ内の圧力Ｐを作用させることができる。この場合は、空気振動が布材２３の厚み方向の内部間隙を通過する際に高周波域の音波が減衰されることになるので、布材２３自体が吸音フィルタ手段の役目の一部を担うことになる。従って、後から貼り付ける部材については、必ずしも吸音材２０でなくてもよくなる。
【００４１】
いずれの場合も、風切音防止用の布材２３が前面に貼り付けられている市販品のコンデンサマイクロホンの場合でも、そのまま布材２３の上に吸音材２０を貼り付けるだけで、感度の良いコンデンサマイクロホンを構成することができ、敢えて布材２３を剥がす手間が省ける。
【００４２】
また、上記実施形態では、ハウジング１１の前面に吸音材２０を配置した場合を示したが、ハウジング１１の後面に通気孔３０を覆うように吸音材２０を配置してもよい。
【００４３】
また、上記実施形態では、コンデンサマイクロホン１０を、マイクロホンユニット５０の形で管路１１２の端部に接続した場合を示したが、直接コンデンサマイクロホン１０をカフ１５０の内圧の及ぶ連通空間内に配置してもよい。
【００４４】
また、上記実施形態では、コンデンサマイクロホン１０を、コロトコフ音検出用の音響センサとして血圧計に適用した場合を説明したが、本発明のコンデンサマイクロホンは、電子聴診器のマイクロホンや、他の用途のマイクロホンとして使用することもできる。
【図面の簡単な説明】
【００４５】
【図１】本発明の実施形態のコンデンサマイクロホンの原理構成を示す図である。
【図２】同コンデンサマイクロホンの具体的な構成を示す断面図である。
【図３】同コンデンサマイクロホンを主要部品とするマイクロホンユニットをコロトコフ音を検出するための音響センサとして使用した血圧計の概略構成図である。
【図４】同マイクロホンユニットの構成図で、（ａ）は側断面図、（ｂ）は（ａ）のＩＶｂ−ＩＶｂ断面図である。
【図５】同マイクロホンユニットの分解図で、（ａ）は全体構成を示す分解斜視図、（ｂ）は（ａ）のＶｂ−Ｖｂ矢視図、（ｃ）は（ａ）のＶｃ−Ｖｃ矢視図である。
【図６】本発明の他の実施形態のコンデンサマイクロホンの構成を示す断面図である。
【図７】本発明の更に他の実施形態のコンデンサマイクロホンの構成を示す断面図である。
【符号の説明】
【００４６】
１０  コンデンサマイクロホン
１１  ハウジング
１１ａ  開口
１１Ｂ  基板（壁部）
１３  ダイヤフラム
１４  バックプレート
２０  吸音材
２１，２４  接着剤
２３  布材
５０  マイクロホンユニット
３０  通気孔
２６  端子
５１  ユニットケース
５２ｃ  面取部（形状的な目印）
５３  接続口
５５  開口
５５ｂ  切欠
６０  蓋板
６２  貫通孔
６３  突起
７０  シール材
１５０  カフ
１０１  加圧手段
１０２  減圧手段
１１２  管路
【図１】
2008093360.tif 000003
【図２】
2008093360.tif 000004
【図３】
2008093360.tif 000005
【図４】
2008093360.tif 000006
【図５】
2008093360.tif 000007
【図６】
2008093360.tif 000008
【図７】
2008093360.tif 000009